(57)【要約】【課題】各紙幣の流通経路を特定することが可能な商品販売データ登録処理装置及び紙幣流通経路特定システムを提供する。【解決手段】商品販売データ登録処理装置は、紙幣を受け入れる投入孔、紙幣を排出する排出孔、投入された紙幣及び排出する紙幣を搬送する搬送路、金種ごとに紙幣を蓄積する蓄積部及び搬送路に設けられ、紙幣に固有に割り当てられる紙幣ＩＤを読み取るセンサを備える紙幣入出金装置と、商品毎に固有に割り当てられる識別子である商品コード毎に単価を格納する商品マスタと、一取引の内容を格納するトランザクションファイルと、紙幣ＩＤごとに、紙幣入出金装置に固有に割り当てられる装置ＩＤ、入金日時及び出金日時を格納する入出金ファイルと、紙幣が紙幣入出金装置に投入された場合、センサによって読み取った前記紙幣ＩＤを、装置ＩＤ及び入金日時とともに入出金ファイルに格納する制御部と、を備える。【選択図】図３
2014164331.tif 000002
【特許請求の範囲】
【請求項１】
紙幣を受け入れる投入孔、紙幣を排出する排出孔、投入された紙幣及び排出する紙幣を搬送する搬送路、金種ごとに紙幣を蓄積する蓄積部及び前記搬送路に設けられ、紙幣に固有に割り当てられる紙幣ＩＤを読み取るセンサを備える紙幣入出金装置と、
商品毎に固有に割り当てられる識別子である商品コード毎に単価を格納する商品マスタと、
一取引の内容を格納するトランザクションファイルと、
前記紙幣ＩＤごとに、前記紙幣入出金装置に固有に割り当てられる装置ＩＤ、入金日時及び出金日時を格納する入出金ファイルと、
紙幣が前記紙幣入出金装置に投入された場合、前記センサによって読み取った前記紙幣ＩＤを、前記装置ＩＤ及び入金日時とともに前記入出金ファイルに格納する制御部と、
を備える商品販売データ登録処理装置。
【請求項２】
前記制御部は、
紙幣が前記紙幣入出金装置から排出される場合、前記センサによって読み取った前記紙幣ＩＤごとに、出金日時を前記入出金ファイルに格納する請求項１記載の商品販売データ登録処理装置。
【請求項３】
情報を通信する通信部をさらに備え、
前記制御部は、
紙幣が前記紙幣入出金装置に投入された場合、前記センサによって読み取った前記紙幣ＩＤを前記装置ＩＤ及び入金日時とともに、紙幣の入出金の記録を紙幣ＩＤごとに格納する入出金マスタを備える集約サーバに送信する請求項２記載の商品販売データ登録処理装置。
【請求項４】
事故紙幣の紙幣ＩＤを格納するブラックリストファイルをさらに備え、
紙幣が前記紙幣入出金装置に投入された場合、前記センサによって読み取った前記紙幣ＩＤに基づいて前記ブラックリストファイルを検索し、前記紙幣ＩＤが事故紙幣の紙幣ＩＤであると判定した場合にアラームを発報する請求項３記載の商品販売データ登録処理装置。
【請求項５】
紙幣の入出金の記録を紙幣ＩＤごとに格納する入出金マスタを備える集約サーバと、
紙幣を受け入れる投入孔、紙幣を排出する排出孔、投入された紙幣及び排出する紙幣を搬送する搬送路、金種ごとに紙幣を蓄積する蓄積部及び前記搬送路に設けられ、紙幣に固有に割り当てられる紙幣ＩＤを読み取るセンサを備える紙幣入出金装置と、商品毎に固有に割り当てられる識別子である商品コード毎に単価を格納する商品マスタと、一取引の内容を格納するトランザクションファイルと、前記紙幣ＩＤごとに、前記紙幣入出金装置に固有に割り当てられる装置ＩＤ、入金日時及び出金日時を格納する入出金ファイルと、紙幣が前記紙幣入出金装置に投入された場合、前記センサによって読み取った前記紙幣ＩＤを、前記装置ＩＤ及び入金日時とともに前記入出金ファイルに格納する制御部と、紙幣が前記紙幣入出金装置に投入された場合、前記センサによって読み取った前記紙幣ＩＤを前記装置ＩＤ及び入金日時とともに前記集約サーバに送信する通信部と、を備える商品販売データ登録処理装置と、
を備える紙幣流通経路特定システム。
【請求項６】
商品販売データ登録処理装置を、
紙幣入出金装置の投入された紙幣及び排出する紙幣を搬送する搬送路に設けられるセンサによって紙幣に固有に割り当てられる紙幣ＩＤを読み取る紙幣ＩＤ読取手段と、
紙幣が前記紙幣入出金装置に投入された場合、前記センサによって読み取った前記紙幣ＩＤを、前記紙幣入出金装置に固有に割り当てられる装置ＩＤ及び入金日時とともに前記入出金ファイルに格納する格納手段と、
として機能させるための商品販売データ登録処理プログラム。
【発明の詳細な説明】
【技術分野】
【０００１】
本発明の実施形態は、商品販売データ登録処理装置、紙幣流通経路特定システム及び商品販売データ登録処理プログラムに関する。
【背景技術】
【０００２】
盗難等の犯罪に関係した紙幣の流通経路を特定することは犯罪の抑止や犯人の検挙の点において重要である。
【０００３】
紙幣は各紙幣に固有のシリアルナンバーが印刷されている。従って、このシリアルナンバーを基に流通経路の特定や紙幣の使用の発見を行うことができるはずである。
【０００４】
しかし、実際の現金取引においては、紙幣のシリアルナンバーを確認しながら決済することは非常に困難である。
【先行技術文献】
【特許文献】
【０００５】
【特許文献１】特開２０１２−９８９６１号公報
【発明の概要】
【発明が解決しようとする課題】
【０００６】
従って、各紙幣の流通経路を特定することが可能な商品販売データ登録処理装置、紙幣流通経路特定システム、及び商品販売データ登録処理プログラムが求められている。
【課題を解決するための手段】
【０００７】
上記の課題を解決するために、本発明の一実施形態は、紙幣を受け入れる投入孔、紙幣を排出する排出孔、投入された紙幣及び排出する紙幣を搬送する搬送路、金種ごとに紙幣を蓄積する蓄積部及び搬送路に設けられ、紙幣に固有に割り当てられる紙幣ＩＤを読み取るセンサを備える紙幣入出金装置と、商品毎に固有に割り当てられる識別子である商品コード毎に単価を格納する商品マスタと、一取引の内容を格納するトランザクションファイルと、紙幣ＩＤごとに、紙幣入出金装置に固有に割り当てられる装置ＩＤ、入金日時及び出金日時を格納する入出金ファイルと、紙幣が紙幣入出金装置に投入された場合、センサによって読み取った前記紙幣ＩＤを、装置ＩＤ及び入金日時とともに入出金ファイルに格納する制御部と、を備える商品販売データ登録処理装置を提供する。
【図面の簡単な説明】
【０００８】
【図１】商品販売データ登録処理装置の外観斜視図である。
【図２】紙幣入出金装置の構成を示す平面図である。
【図３】商品販売データ登録処理装置の構成を示すブロック図である。
【図４】商品マスタのデータ構成を示す図である。
【図５】トランザクションファイルのデータ構成を示す図である。
【図６】入出金ファイルのデータ構成を示す図である。
【図７】ブラックリストファイルのデータ構成を示す図である。
【図８】商品販売データ登録処理装置の動作を示すフローチャートである。
【発明を実施するための形態】
【０００９】
以下、商品販売データ登録処理装置、紙幣流通経路特定システム、及び商品販売データ登録処理プログラムの一実施形態について、図面を用いて詳細に説明する。
【００１０】
本実施形態の商品販売データ登録処理装置は、紙幣を受け入れる投入孔、紙幣を排出する排出孔、投入された紙幣及び排出する紙幣を搬送する搬送路、金種ごとに紙幣を蓄積する蓄積部及び搬送路に設けられ、紙幣に固有に割り当てられる紙幣ＩＤを読み取るセンサを備える紙幣入出金装置と、商品毎に固有に割り当てられる識別子である商品コード毎に単価を格納する商品マスタと、一取引の内容を格納するトランザクションファイルと、紙幣ＩＤごとに、紙幣入出金装置に固有に割り当てられる装置ＩＤ、入金日時及び出金日時を格納する入出金ファイルと、紙幣が紙幣入出金装置に投入された場合、センサによって読み取った前記紙幣ＩＤを、装置ＩＤ及び入金日時とともに入出金ファイルに格納する制御部と、を備える。
【００１１】
図１は、商品販売データ登録処理装置１（以下、登録処理装置１と言う。）の外観斜視図である。図１に示すように、ＰＯＳ（Ｐｏｉｎｔ  ｏｆ  ｓａｌｅｓ）端末などの登録処理装置１は、本体部１０１と、タッチパネル等の入出力装置であるオペレータ側入出力装置１２Ａと、顧客側に向けられるタッチパネル等の入出力装置である客面入出力装置１２Ｂと、カードリーダ１０２と、キーボード１０３と、硬貨入出金装置１０４と、紙幣入出金装置１０５と、を備える。
【００１２】
登録処理装置１はさらに、商品のバーコードをスキャンするスキャナ１０６を備える。
【００１３】
以下、オペレータ側入出力装置１２Ａ及び客面入出力装置１２Ｂを入出力部１２と呼ぶ。
【００１４】
図２は、紙幣入出金装置１０５の構成を示す平面図である。図２に示すように、紙幣入出金装置１０５は、紙幣が投入される投入孔２０１と、紙幣を排出する排出孔２０６と、投入された紙幣及び排出する紙幣を搬送する第１の搬送路２０２と、金種ごとに紙幣を蓄積する蓄積部２０５と、投入された紙幣を蓄積部２０５に振り分け、蓄積部２０５から取り出した紙幣を排出部に振り分ける振り分け部２０３と、振り分け部２０３から蓄積部２０５に紙幣を搬送する第２の搬送路２０４と、第１の搬送路２０２に設けられ、紙幣に固有に割り当てられるシリアルナンバーである紙幣ＩＤ及び紙幣の図柄を読み取るセンサ１５と、を備える。
【００１５】
振り分け部２０３は、回転するプラテンと、搬送路切替機構と、を備える。振り分け部２０３は、センサ１５が読み取った紙幣の図柄に基づいて判定された金種に対応する蓄積部２０５に紙幣を振り分ける。
【００１６】
また、振り分け部２０３は、蓄積部２０５から取り出した紙幣を排出孔２０６に振り向ける。
【００１７】
センサ１５は、ＣＭＯＳセンサ、ラインセンサ等から選ばれる色を識別できるセンサであることが金種を識別する上で望ましい。
【００１８】
図３は、登録処理装置１の構成を示すブロック図である。図３に示すように、紙幣流通経路特定システムは、登録処理装置１、管理装置２、及び集約サーバ３と、を備える。
【００１９】
登録処理装置１は、演算装置であるＣＰＵ（Ｃｅｎｔｒａｌ  ｐｒｏｃｅｓｓｉｎｇ  ｕｎｉｔ）を含む制御部１１と、情報を入出力する入出力部１２と、情報通信を行う通信部１３と、メモリ、ハードディスクドライブ等の記憶装置を含む記憶部１４と、センサ１５と、を備える。
【００２０】
記憶部１４は、商品毎に固有に割り当てられる識別子である商品コード毎に単価を格納する商品マスタ１４Ａと、一取引の内容を格納するトランザクションファイル１４Ｂと、紙幣ＩＤごとに、紙幣入出金装置１０５に固有に割り当てられる装置ＩＤ、入金日時及び出金日時を格納する入出金ファイル１４Ｃと、盗難などにあった事故紙幣の紙幣ＩＤを格納するブラックリストファイル１４Ｄと、装置ＩＤと、を格納する。
【００２１】
記憶部１４は、商品販売データ登録処理プログラムを格納し、制御部１１は記憶部１４から商品販売データ登録処理プログラムを読み出して実行する。
【００２２】
登録処理装置１は、通信部１３を介してストアコントローラ等の管理装置２と通信してもよい。
【００２３】
管理装置２は、演算装置であるＣＰＵを含む制御部２１と、情報を入出力する入出力部２２と、情報通信を行う通信部２３と、メモリ、ハードディスクドライブ等の記憶装置を含む記憶部２４と、を備える。
【００２４】
記憶部２４は、商品毎に固有に割り当てられる識別子である商品コード毎に単価を格納する商品マスタ２４Ａを格納する。
【００２５】
登録処理装置１は、一取引内の商品に対応する商品コードが商品マスタ１４Ａにない場合、管理装置２の商品マスタ２４Ａから該当するデータを読み出して商品マスタ１４Ａに格納し、一取引の処理を行う。
【００２６】
管理装置２は、商品マスタ２４Ａに格納されているデータに変更があった場合、該当するデータを  登録処理装置１に送信する。登録処理装置１は受信したデータに基づいて商品マスタ１４Ａを更新する。
【００２７】
集約サーバ３は、演算装置であるＣＰＵを含む制御部３１と、情報を入出力する入出力部３２と、情報通信を行う通信部３３と、メモリ、ハードディスクドライブ等の記憶装置を含む記憶部３４と、を備える。
【００２８】
記憶部３４は、各登録処理装置１から直接又は管理装置２を介して収集した入出金ファイル１４Ｃの内容を蓄積する入出金マスタ３４Ａを格納する。
【００２９】
図４は、商品マスタ１４Ａのデータ構成を示す図である。図４に示すように、商品マスタ１４Ａは、商品毎に固有に割り当てられる「商品コード」と、商品の名称である「名称」と、商品の１個当たりの価格である「単価」と、商品の販売部門を示す「部門」と、を格納する。
【００３０】
各データの例は、商品コードが「４００００００００１２３４」、名称が「冷凍カルボナーラ」、単価が「３９８」、部門が「５０１０」である。
【００３１】
商品マスタ２４Ａのデータ構成は商品マスタ１４Ａのデータ構成と同様である。
【００３２】
図５は、トランザクションファイル１４Ｂのデータ構成を示す図である。図５に示すように、トランザクションファイル１４Ｂは、顧客が購入した商品を示す「商品コード」と当該商品の名称である「名称」と、当該商品の１個当たりの価格である「単価」と、顧客が購入した個数である「数量」と、を格納する。
【００３３】
各データの例は、商品コードが「４００００００００１２３４」、名称が「冷凍カルボナーラ」、単価が「３９８」、数量が「２」である。
【００３４】
図６は、入出金ファイル１４Ｃのデータ構成を示す図である。図６に示すように、入出金ファイル１４Ｃは、紙幣に固有に割り当てられるシリアルナンバーである「紙幣ＩＤ」と、紙幣入出金装置１０５に固有に割り当てられる「装置ＩＤ」と、紙幣入出金装置１０５に入金された日時を示す「入金日時」と、紙幣入出金装置１０５から出金された日時を示す「出金日時」と、を格納する。
【００３５】
各データの例は、紙幣ＩＤが「ＡＢ１２３４５６Ｃ」、装置ＩＤが「１００１２３」、入金日時が「２０１２０１３１０９３１２５」、出金日時がまだ出勤していないことを示すＮＵＬＬである。
【００３６】
図７は、ブラックリストファイル１４Ｄのデータ構成を示す図である。図７に示すようにブラックリストファイル１４Ｄは、事故があった紙幣のシリアルナンバーである事故紙幣ＩＤを格納する。
【００３７】
データの例は、事故紙幣ＩＤが「ＡＢ１２３４５６Ｃ」である。
【００３８】
図８は、登録処理装置１の動作を示すフローチャートである。図８に示すように、ステップ８０１において、登録処理装置１はスキャナ１０６によって商品をスキャンする。
【００３９】
ステップ８０２において、登録処理装置１は読み込んだ商品コードに基づいて商品マスタ１４Ａを検索し、名称と単価を読み出す。登録処理装置１は名称、単価及び数量をトランザクションファイル１４Ｂに格納する。
【００４０】
ステップ８０３において、登録処理装置１は小計ボタンが押下されたかを判定する。登録処理装置１は、小計ボタンが押下されたと判定した場合、ステップ８０４に進み、押下されていないと判定した場合、ステップ８０１に戻る。
【００４１】
ステップ８０４において、登録処理装置１は小計を計算する。
【００４２】
ステップ８０５において、登録処理装置１は硬貨入出金装置１０４及び紙幣入出金装置１０５を介して預かり金を入力する。
【００４３】
ステップ８０６において、登録処理装置１は入金した紙幣の紙幣ＩＤ、当該紙幣入出金装置１０５の装置ＩＤ及び入金日時を入出金ファイルに格納する。
【００４４】
ステップ８０７において、登録処理装置１は入金した紙幣の紙幣ＩＤに基づいてブラックリストファイル１４Ｄを検索する。
【００４５】
ステップ８０８において、登録処理装置１は入金した紙幣のＩＤがブラックリストファイル１４Ｄの事故紙幣ＩＤと一致するものがあるかを判定する。登録処理装置１は入金した紙幣のＩＤがブラックリストファイル１４Ｄの事故紙幣ＩＤと一致するものがあると判定した場合、ステップ８０９に進み、一致するものがない場合ステップ８１０に進む。
【００４６】
ステップ８０９において、登録処理装置１はアラームを発報して処理を中断する。
【００４７】
ステップ８１０において、登録処理装置１はつり銭を計算する。
【００４８】
ステップ８１１において、登録処理装置１はつり銭を硬貨入出金装置１０４及び紙幣入出金装置１０５から出金する。この際、登録処理装置１は紙幣入出金装置１０５から排出される紙幣の紙幣ＩＤに対応する入出金ファイル１４Ｃのデータに出金日時を格納する。
【００４９】
ステップ８１２において、登録処理装置１は、紙幣の入金内容及び出金内容を集約サーバ３に送信する。具体的には、登録処理装置１は一取引の前後に生じた入出金ファイルの内容の差分を集約サーバ３に送信する。
【００５０】
集約サーバ３は、受信した入出金の内容を入出金マスタ３４Ａに格納する。
【００５１】
ステップ８１３において、登録処理装置１はトランザクションファイル１４Ｂをクリアする。
【００５２】
以上述べたように、本実施形態の登録処理装置１は、情報を入出力する入出力部１２と、紙幣を受け入れる投入孔２０１、紙幣を排出する排出孔２０６、投入された紙幣及び排出する紙幣を搬送する第１の搬送路２０２、金種ごとに紙幣を蓄積する蓄積部２０５、投入された紙幣を蓄積部２０５に振り分け、蓄積部２０５から取り出した紙幣を排出部に振り分ける振り分け部２０３、振り分け部２０３から蓄積部２０５に紙幣を搬送する第２の搬送路２０４、及び第１の搬送路２０２に設けられ、紙幣に固有に割り当てられるシリアルナンバーである紙幣ＩＤ及び紙幣の図柄を読み取るセンサ１５を備える紙幣入出金装置１０５と、商品毎に固有に割り当てられる識別子である商品コード毎に単価を格納する商品マスタ１４Ａと、一取引の内容を格納するトランザクションファイル１４Ｂと、紙幣ＩＤごとに、紙幣入出金装置１０５に固有に割り当てられる装置ＩＤ、入金日時及び出金日時を格納する入出金ファイル１４Ｃと、盗難などにあった事故紙幣の紙幣ＩＤを格納するブラックリストファイル１４Ｄと、紙幣が紙幣入出金装置１０５に投入された場合、センサ１５によって読み取った紙幣ＩＤを、装置ＩＤ及び入金日時とともに入出金ファイル１４Ｃに格納する制御部と、を備える。
【００５３】
従って、各紙幣の流通経路を特定することが可能となるという効果がある。
【００５４】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１：登録処理装置
２：管理装置
３：集約サーバ
１４Ｃ：入出金ファイル
１４Ｄ：ブラックリストファイル
【図１】
2014164331.tif 000003
【図２】
2014164331.tif 000004
【図３】
2014164331.tif 000005
【図４】
2014164331.tif 000006
【図５】
2014164331.tif 000007
【図６】
2014164331.tif 000008
【図７】
2014164331.tif 000009
【図８】
2014164331.tif 000010